(57)【要約】【課題】  光変調器のバイアス点の監視に関し、動作点検出を正確に行う必要があった。【解決手段】  光変調器のバイアス点の監視は、光変調器で変調された光信号を受信する受信手段を設ける。受信手段は、２光子吸収等の複数の光子吸収に応じて反応する光反応性物質で構成する。この光受信手段で検出した結果を光変調器にフィードバックする。このフィードバックは光信号の波形を反映し、光変調器の１つ以上のバイアス点を示ことができる。【選択図】図２
2007086790.tif 000002
【特許請求の範囲】
【請求項１】
光変調器と該光変調器の変調バイアス電圧点を制御する制御部からなる光変調システムにおいて、
該制御部には、該光変調器の出力の複数の光子の到達に応じて反応する光子反応性物質で構成された波形検出器と、該波形検出器の反応に対するフィードバックを該光変調器に行う変調器ドライバとを備えたことを特徴とする光変調システム。
【請求項２】
該波形検出器の該反応は２光子吸収により発生し、変調波形の変動に対応していることを特徴とする請求項１記載の光変調システム。
【請求項３】
該制御部は該波形検出器の出力のピークに一致するようにバイアス点を制御することを特徴とする請求項１記載の光変調システム。
【請求項４】
該制御部は該光変調器の出力パワーを検出する光パワー検出器をさらに設け、該変調ドライバを制御することを特徴とする請求項１記載の光変調システム。
【請求項５】
該制御部は該波形検出器の出力と光パワー検出器の検出した値が一致するようにバイアス点を制御することを特徴とする請求項３記載の光変調システム。
【発明の詳細な説明】
【技術分野】
【０００１】
本発明は、光ネットワークの分野に関し、さらに詳細には、変調器バイアスの制御に関する。
【背景技術】
【０００２】
通信網は、光パルスとして送信される光信号を用いて情報を伝える。通信網のある装置では、光信号を変調する光変調器を含む。光変調器は、マッハツェンダ型導波路に電界をかけ、マッハツェンダ型導波路ないのアーム導波路を通る光の位相を制御して”１”または”0”、の変調信号を作る。導波路に電界をかける際に、変調効率の最も良いバイアス点でバイアスがかけられる。しかしながら、バイアス点は、例えば、温度変動によりドリフトする場合がある。既知のバイアス点監視技術は、光変調器のバイアス点を監視するため、信号の光パワーを測定する。しかしながら、これらの既知技術は、ある特定状況では満足いくものではない。バイアス制御のための公知技術として、特許文献１や特許文献２が知られている。
【特許文献１】特開平０５―３４６５０号公報
【特許文献２】特開平０５―２２４０４４号公報
【発明の開示】
【発明が解決しようとする課題】
【０００３】
本発明の目的は、信号の状態に関係なく、性格なバイアス点制御を行う技術を提供することである。
【課題を解決するための手段】
【０００４】
本発明は、上述した目的を達成するために以下の構成を採用する。
【０００５】
本発明の第１の手段として、光変調器と該光変調器の変調バイアス電圧点を制御する制御部からなる光変調システムにおいて、該制御部には該光変調器の出力の複数の光子の到達に応じて反応する光子反応性物質で構成された波形検出器と、該波形検出器の反応に対するフィードバックを該光変調器に行う変調器ドライバとを備る。
【０００６】
本発明の第２の手段として、第１の手段の光変調システムにおいて、該波形検出器の該反応は二光子吸収により発生し、変調波形の変動に対応する。
【０００７】
本発明の第３の手段として、第１の手段の光変調システムにおいて、該制御部は該波形検出器の出力のピークに一致するようにバイアス点を制御する。
【０００８】
本発明の第４の手段として、第１の手段の光変調システムにおいて、該制御部は該光変調器の出力パワーを検出する光パワー検出器をさらに設け、該変調ドライバを制御する。
【０００９】
本発明の第５の手段として、第３の手段の光変調システムにおいて、該制御部は該波形検出器の出力と光パワー検出器の検出した値が一致するようにバイアス点を制御する。
【発明の効果】
【００１０】
本発明によれば、複数の光子吸収による光モニタ（波形検出器）を用いて、光変調器の出力波形を測定するので、光変調器の動作点バイアス電圧を正確に制御することができる。
【発明を実施するための最良の形態】
【００１１】
以下、図面を参照して本発明の実施形態について説明する。実施形態の構成は例示であり、本発明は実施形態の構成に限定されない。本発明により、光変調を監視するための従来技術に関わる不利な点および問題点が減らされる、あるいは除去される。
【００１２】
本発明の１つの実施例により、光変調器のバイアス点を監視するステップは、光変調器で変調された光信号を受信するステップを含む。光信号の光子は、所定数の光子の到達に応じて反応するよう作動可能な光反応性物質で受信される。反応は、光信号の光子の到達に応じて生じる。フィードバックはこの反応に応じて行われる。このフィードバックは光信号の波形を反映し、光変調器の１つ以上のバイアス点を示す。
【００１３】
本発明のある実施例により、１つ以上の技術的利点がもたらされる。１つの実施例の技術的な利点は、変調された信号の波形を検出することで、光変調器のバイアス点が監視されるということである。この実施例によれば、変調される信号の波形におけるある変化がバイアス点における変動を示す。
【００１４】
本発明のある実施例が、上記の技術的な利点について、いずれも含まない、一部含む、あるいは全て含む。１つ以上の他の技術的利点は、当業者であれば、ここに含まれる図面、説明、および請求項からすぐに明らかになる。
【００１５】
本発明の実施例およびその利点については、図１から８の図面を参照することで最も良く理解されるが、さまざまな図画の類似の対応する部分に対して類似の数字が用いられている。
【００１６】
図１は、１つ以上の光変調器で変調された光信号の波形を検出するため、光子吸収法を用いるノードを含むネットワーク１０の１つの実施例を示すブロック図である。変調された信号の波形における変化は、複数の光変調器の変調アラインメントにおける変動を示すため、この波形が変調アラインメント変動を監視するために用いられる。さらに、変調された信号の波形における変化は、光変調器のバイアス点における変動を示すため、この波形がバイアス点変動を監視するために用いられる。
【００１７】
示された実施例によれば、ネットワーク１０は信号を用いて通信を行う。信号は、光子を含む光パルスとして送信される光信号として言及される。光信号は、約１５５０ナノメートルの周波数、および、例えば、毎秒１０，２０，４０あるいは４０超のギガビットのデータ率をもつ。信号は、非ゼロ復帰（ＮＲＺ）、ゼロ復帰（ＲＺ）、搬送波抑圧ゼロ復帰（ＣＳ−ＲＺ）、ＣＳ−ＲＺ差分位相偏位キーイング（ＤＰＳＫ）といった適当な変調技術、あるいは他の適当なオンオフキーイング（ＯＯＫ）により変調される。信号は、典型的には、１つ以上の構成要素を含むが、ここで構成要素は、特定の波長あるいは波長範囲をもつ光の一部分について言及する。
【００１８】
信号はパケットで情報を伝送する。パケットは、特定送信方法で構成されたデータバンドルを含み、フレームは、特定送信方法で構成された１つ以上のパケットのペイロードを含む。パケットは、音声、データ、音響、映像、マルチメディア、他の情報といった適当な情報、あるいは前述のものを組み合わせたものを保持する。パケットは、同期式光通信網（ＳＯＮＥＴ）プロトコル上のイーサネット（登録商標）といった適当なプロトコルを用いて伝送される時分割多重（ＴＭＤ）パケットといった適当な多重化パケットを含む。
【００１９】
ネットワーク１０は、図示されるとおり、アクセス機器２４に結合されたリング２０を含む。リングは、リング型トポロジーをもつ通信装置のネットワークについて言及する。１つの実施例によれば、リング２０は光ファイバリングを備える。例えば、リング２０は弾性パケットリング（ＲＰＲ）を備える。
【００２０】
リング２０はファイバ２６により結合されたノード２８をもつ。ノードは、パケットが他のノードに伝送されるリング点について言及する。ノード２８は、マッハ−ツェンダー変調器といった光変調器を含む送信機をもつ。光子吸収法は、１つ以上の光変調器で変調される光信号の波形を検出するために用いられる。
【００２１】
光変調器を駆動する信号は、典型的には、適切に信号を変調するため、時間調整される。変調アラインメントは、駆動信号についての時間的アラインメントについて言及する。しかしながら、駆動信号間の相対遅れは変化する。変調アラインメント変動は、この相対遅れの変化について言及する。変調された信号の波形における変化は変調アラインメント変動を示す。したがって、波形を検出することで変調アラインメント変動が監視される。変調アラインメント変動を監視するよう作動可能な送信機の例については、図２から５を参照しながらさらに詳細に説明される。
【００２２】
光変調器は、典型的には、バイアス点でバイアスがかけられる。通常のバイアス点は、光パワーのヌルポイントあるいは直交位相点を含む。しかしながら、バイアス点は変化しうる。変調された信号の波形における変化は、光変調器のバイアス点における変動を示す。したがって、波形を検出することでバイアス点が監視される。バイアス点変動を監視するよう作動可能な送信機の例については、図６から８を参照しながらさらに詳細に説明される。
【００２３】
ファイバ２６は、信号を伝送するよう作動可能な適当なファイバについて言及する。１つの実施例によれば、ファイバ２６は光ファイバを示す。光ファイバは、典型的には、シリカガラスあるいはプラスチックでできたケーブルを備える。このケーブルは内部コア周りに外被覆材をもつ。内部コアは、外被覆材より若干高い屈折率をもつ。ファイバの屈折特性は、ファイバ内の光信号を保持するよう作動する。
【００２４】
アクセス機器２４は、リング２０のノード２８と通信するよう作動可能な適当な装置を含む。アクセス機器２４の例には、アクセスゲートウェイ、エンドポイント、ソフトスイッチサーバ、トランクゲートウェイ、ネットワーク、アクセスサービスプロバイダ、インターネットサービスプロバイダ、あるい、リング２０のノード２８と通信を行うよう作動可能な他の装置２０が含まれる。
【００２５】
本発明の適用範囲から逸脱することなく、ネットワーク１０に対して、変更、追加、あるいは省略を行ってもよい。ネットワーク１０の構成要素は、特定の必要性に応じて統合あるいは分離される場合がある。さらに、ネットワーク１０の動作は、さらに多くの、さらに少ない、あるいは他の装置により行なわれる。さらに、ネットワーク１０の動作は、適当な論理を用いて行なわれる。論理は、ハードウェア、ソフトウェア、あるいはハードウェアおよびソフトウェアの組合せについて言及する。本文書で用いられるとおり、「各」は、セットの各々が各々のメンバー、あるいはセットのサブセットの各々のメンバーについて言及する。
【００２６】
図２は、変調アラインメント変動を監視するよう作動可能なアラインメントモニタ５４を含む送信機の１つ実施例のブロック図である。示された実施例によれば、送信機５０は、光源６０、光変調器６４ａ、６４ｂ、変調器ドライバ６６ａ、６６ｂ、光カプラ６８、ファイバ７０、および、図示されたように結合されたアラインメントモニタ５４を含む。
【００２７】
作動中、光源６０は光信号を発生する。光変調器６４は信号を変調し、光カプラ６８はアラインメントモニタ５４に対する変調された信号の部分にタップをたてる。アラインメントモニタ５４は、変調アラインメント変動を監視し、変調アラインメント変動を示す変調器ドライバ６８にフィードバックを送る。変調器ドライバ６６は、このフィードバックに応じて光変調器６４を調整する。
【００２８】
示された実施例によれば、光源６０は光線を発生し、レーザを含む場合もある。光変調器６４ａ-ｂは光信号を変調し、変調器ドライバ６６ａ-ｂにより提供される駆動信号によって駆動される。駆動信号は、例えば、データ信号やクロック信号を含む。光変調器６４ａ-ｂは電気情報を光情報に変換する。例として、情報を伝送するデータ信号は、情報を伝送する変調された信号をもたらすよう光変調器６４を駆動する。
【００２９】
光カプラ６８はアラインメントモニタ５４に対して信号の部分にタップをたてる。光カプラ６８は偏光維持光カプラを備える。ファイバ７０は光信号を伝送するが、偏光維持光カプラを備える場合もある。
【００３０】
示された実施例によれば、アラインメントモニタ５４は、ファイバ７２と、図示されているとおり光子反応性物質７６をもつ波形検出器７４とを含む。ファイバ７２は、信号を光子反応性物質７６に向けて焦点を合わせるよう作動可能なテーパのある光ファイバを備える。光子反応性物質７６は、所定数の光子がこの物質に到着すると反応を行う物質を含む。例えば、この物質は、２つの光子といった所定数の光子が実質的に同一時間に、物質の実質的に同一場所に到達すると電子を放出する。実質的に、同一位置は、光子の数が反応を生じるところまで達するエリアについて言及する。実質的に、同一時間は、光子の数が反応を生じるところまで達する時間について言及する。物質７６に到達する光子が多くなれば、所定数の光子が実質的に同一時間に到達し、これにより反応数が増加する可能性が高くなる。
【００３１】
光子反応性物質７６は、光信号の波形を監視するために用いられる。より狭い波形形状のパルスは、同一時間に物質７６に到達する光子をさらに多くの含み、より広い波形形状のパルスでは、同一時間に物質７６に到達する光子が少なくなる。より狭い波形のパルスは同一時間に物質７６に到着する光子をさらに多く含むことから、より狭い波形パルスは広い波形パルスより多くの反応を行う。したがって、この反応は、信号の波形を示すフィードバックを含む。
【００３２】
この物質は所定数の光子に応じて選ばれる。１つ実施例によれば、この物質のバンドギャップエネルギーＥｇが、光子エネルギーhυをもつｎ個の光子に反応するよう物質が選ばれる。ｎ個の光子を検出するため、式（８）にしたがってバンドギャップエネルギーＥｇをもつ物質が選ばれる（８）：
(n-1）hυ≦Ｅｇ≦nhυ          （８）
例えば、２個の光子を検出するため、式（９）にしたがってエネルギーＥｇをもつ物質が選ばれる：
hυ≦Ｅｇ≦2hυ                （９）
１つの実施例によれば、検出器７６は、シリコンアバランシェ光ダイオードといった光ダイオードを備える。シリコンアバランシェ光ダイオードは、シリコンといった半導体物質を含む。シリコンは、２個の光子が実質的に同一時間に、実質的に同一場所に到達すると、電子を放出する。すなわち、２個の光子が１つの電子−ホール対を生成する。光子流は入力電力の２乗に比例する。シリコンアバランシェ光ダイオードで２個の光子が１つの電子−ホール対を生成するためには入力する波長帯域を選択する必要がある。
【００３３】
通常、図１のようなシステムで用いられる通信波長は１．５μｍ帯の光である。この波長の光のパワーを受信（１光子吸収による受信）するためには、ＧａＩｎＰのフォトダイオードが材料として用いられている。一般的に、ＧａＩｎＰはＳｉに比較すると高価である。一方、０．９μｍ帯の光を受信するためのフォトダイオードとしては、Ｓｉ−ＰＩＮフォトダイオード（ＰＤ）や、Ｓｉ−アバランシェフォトダイオード（ＡＰＤ）が知られている。これらは、Ｓｉを材料としているため、ＧａＩｎＰに比べて安価である。ここで、注目すべきはことは、０．９μｍ帯の光のエネルギーは通信システムに一般敵に用いられる１．５μｍ帯の光のエネルギーの約２倍であり、Ｓｉ−ＰＩＮ  ＰＤ、Ｓｉ−ＡＰＤは１．５μｍ帯に用いると、二光子吸収が発生することである。即ち、Ｓｉ−ＰＩＮ  ＰＤ、Ｓｉ−ＡＰＤは１．５μｍ帯に用いると、一光子吸収による光パワーのモニタではなく、二光子吸収による分散の変動を検出することが出来る。
【００３４】
アラインメントモニタ５４は、変調アラインメント変動を監視するため、検出器７４で起こる反応を測定する。反応数の変化は変調アラインメントにおける変化を示す。１つの実施例によれば、検出器７４ａからの検出器信号は、反応数における変化を検出するために用いられる。検出器信号の例が、図３ａおよび３ｂを参照しながら説明される。
【００３５】
図３ａおよび３ｂは検出器信号１００および１０４をそれぞれ示す。検出器信号１００は、搬送波抑圧ゼロ復帰変調信号の監視から得られる。検出器信号１０４は、ゼロ復帰変調信号の監視から得られる。
【００３６】
図２を再び参照すると、アラインメントモニタ５４はアラインメント変動について変調器ドライバ６８に通知する。例として、アラインメントモニタ５４が変調器ドライバ６８に検出器信号を送る。変調器ドライバ６８は、弱いアラインメントに対する補償を行うため、光変調器６４を調節する。
【００３７】
本発明の適用範囲から逸脱することなく、アラインメントモニタ54に対して、変更、追加、あるいは省略を行ってもよい。アラニンメントモニタ54の構成要素は、特定の必要性に応じて一体化あるいは分離される場合がある。さらに、アラインメントモニタ54の作動は、さらに多くの、より少ない、あるいは他の構成要素により行なわれる。
【００３８】
図４は、変調アラインメント変動を監視するよう作動可能なアラインメントモニタ１５４の他の実施例を含む送信機１５０のブロック図である。示された実施例によれば、アラインメントモニタ１５４は光変調器１６４ｂと一体化される。本実施例によれば、光変調器１６４ｂは、入力部１８０、信号経路１８２ａ−ｂ、スプリッタ１８４、変調器出力部１８６およびアラインメントモニタ１５４を含む。
【００３９】
入力部１８０は変調される光信号を受信する。入力信号は、信号、例えば、直線偏光された信号構成要素に分割される。第１の信号は信号経路１８２ａに沿って伝送され、第２の信号は信号経路１８２ｂに沿って伝送される。光変調器１６４ｂは、第１の位相を変化させ、第２の信号は、信号が建設的あるいは破壊的に干渉するよう信号の屈折率を変化させる。建設的に干渉する１つの構成要素は、変調器出力部１８６を通して伝送される。
【００４０】
スプリッタ１８４は、アラインメントモニタ１５４に対する変調された信号部分を分割するものであり、適当な光線スプリッタを備える。アラインメントモニタ１５４は、変調アラインメント変動を監視するため、信号の波形を検出するものであり、実質的に、図２のアラインメントモニタ１５４に類似している。
【００４１】
本発明の適用範囲から逸脱することなく、アラインメントモニタ１５４に対して、変更、追加、あるいは省略を行ってもよい。アラニンメントモニタ１５４の構成要素は、特定の必要性に応じて一体化あるいは分離される場合がある。さらに、アラインメントモニタ１５４の作動は、さらに多くの、より少ない、あるいは他の構成要素により行なわれる。
【００４２】
図５は、変調アラインメント変動を監視するよう作動可能なアラインメントモニタ２５４の他の実施例を含む送信機２５０のブロック図である。示された実施例によれば、アラインメントモニタ２５４は光変調器２６４ｂと一体化される。本実施例によれば、光変調器２６４ｂは、入力部２８０、信号経路２８２ａ−ｂ、破壊的干渉出力部２８４、変調器出力部２８６およびアラインメントモニタ２５４を含む。
【００４３】
入力部２８０は変調される光信号を受信する。入力信号は信号に分割される。第１の信号は信号経路２８２ａに沿って伝送され、第２の信号は信号経路２８２ｂに沿って伝送される。光変調器２６４ｂは、建設的あるいは破壊的のいずれかに干渉するよう信号を結合する。破壊的に干渉する信号構成要素は破壊的干渉出力部２８４に沿って伝送される。建設的に干渉する１つの構成要素は、変調器出力部２８６を通して伝送される。
【００４４】
アラインメントモニタ２５４は破壊的干渉出力部２８４から信号を受信する。アラインメントモニタ１５４は、変調アラインメント変動を監視するため、信号の波形を検出するものであり、実質的に、図２のアラインメントモニタ２５４に類似している。
【００４５】
本発明の適用範囲から逸脱することなく、アラインメントモニタ２５４に対して、変更、追加、あるいは省略を行ってもよい。アラニンメントモニタ２５４の構成要素は、特定の必要性に応じて一体化あるいは分離される場合がある。さらに、アラインメントモニタ２５４の作動は、さらに多くの、より少ない、あるいは他の構成要素により行なわれる。
【００４６】
図６は、光変調器３００、バイアス点モニタ３０４およびバイアス制御装置３１６が図示されているように結合された１つの実施例のブロック図である。作動時、光変調器３００は光信号を変調する。バイアス点モニタ３０４は、光変調器３００のバイアス点を監視するため、変調された信号の波形を検出する。バイアス点モニタ３０４は、バイアス点変動を示すフィードバックをバイアス制御装置３１６に供給する。バイアス制御装置３１６は、バイアス点変動に対する補償を行うため、フィードバックに応じて光変調器３００を調節する。
【００４７】
一般に、変調器は、典型的には、変調技術およびデータ様式に応じて特定点でバイアスがかかる。例えば、バイアス点は非ゼロ復帰変調に対して直交位相にある。他の例として、半データ率クロック信号に対するバイアス点がゼロであり、このデータに対するバイアス点が搬送波抑圧ゼロ復帰変調に対する直角位相である。バイアス点は温度変動に応じてドリフトする場合があり、この変動を監視するため、バイアス点モニタが用いられる。
【００４８】
示された実施例により、光変調器３００は、入力部３１０、信号経路３１４ａ−ｂ、破壊的干渉出力部３１８ａ−ｂ、光変調器出力３２０を含む。入力部３１０は変調される光信号を受信する。入力信号は信号に分割される。第１の信号は信号経路３１４ａに沿って伝送され、第２の信号は信号経路３１４ｂに沿って伝送される。光変調器３００は、建設的あるいは破壊的のいずれかに干渉するよう信号を結合する。破壊的に干渉する信号が破壊的干渉出力部３１８に沿って伝送され、建設的に干渉する信号が光変調器３２０を通して伝送される。
【００４９】
バイアス点モニタ３０４は光変調器３００のバイアス点を監視する。バイアス点モニタ３０４は１つ以上のバイアス点検出器３２４を含む。示された例によれば、バイアス点モニタ３０４はバイアス点検出器３２４ａ−ｂを含む。バイアス点検出器３２４は破壊的干渉出力部３１８から信号を受信する。示された実施例によれば、バイアス点検出器３２４ａは破壊的干渉出力部３１８ａから信号を受信し、バイアス点検出器３２４ｂは破壊的干渉出力部３１８ｂから信号を受信する。
【００５０】
１つの実施例によれば、バイアス点検出器３２４ａは、信号の波形を検出する波形検出器を備える。本実施例によれば、波形検出器は、図２の光子検出器７４に実質的に類似している。バイアス点検出器３２４ｂは、信号の光パワーを検出する光パワー検出器を備える。例として、バイアス点検出器３２４ｂは、光ダイオード、あるいは信号のパワーを監視するよう作動可能な他の装置を備える。
【００５１】
波形は、光パワーより正確なバイアス点の指示をもたらす。例として、波形のさらに検出可能なピークはバイアス点を示す、また、光パワーの検出可能性の低い直交位相がバイアス点を示す場合もある。したがって、バイアス点検出器３２４ａは、バイアス点検出器３２４ｂよりさらに正確な監視をもたらす。バイアス点検出器３２４ｂからの検出器信号の例およびバイアス点検出器３２４ｂについては、図７を参照しながらさらに詳細に説明される。
【００５２】
本発明の適用範囲から逸脱することなく、バイアス点モニタ３０４に対して、変更、追加、あるいは省略を行ってもよい。バイアス点モニタ３０４の構成要素は、特定の必要性に応じて統合あるいは分離される場合がある。さらに、バイアス点モニタ３０４の作動は、さらに多くの、より少ない、あるいは他の構成要素により行なわれる。
【００５３】
図７は、図２の構成の二段目の光変調器６４ｂに図６の構成を適用したもの特性を示している。図７の特性はＣＳ−ＲＺ信号を用いた場合の特性を示している。バイアス点と光波形の対応関係を測定した結果である。波形検出器および光パワー検出器からの検出器信号４０４および４０８の例を示す図４００である。検出器信号４０４は光パワー検出器の出力を示し、検出器信号４０８は波形検出器の出力を示す。本例によれば、バイアス点は点４１２a、４１２b、４１２cとなる。点４１２a、４１２b、４１２cは、バイアス電流を変化させた場合における、波形検出器の検出器信号４０８のピークの値である。同時に、直交位相にある状態でもある。図示しないが、点４１２a、４１２b、４１２cにおけるアイパターンを観測するとアイが最も大きく開いていた。
【００５４】
従って、複数の光子の到達に応じて反応する光子反応性物質で構成された波形検出器で検出した検出器信号４０８を用いることで、最適なバイアス動作点を容易に識別することができる。
【００５５】
図８は、波形検出器および光パワー検出器からの検出器信号５０４および５０８の例を示す図５００である。検出器信号の例５０４および５０８は、クロック信号により駆動されるマッハ−ツェンダー（ＭＺ）変調信号の検出から得られる。信号の形式はリターンツウゼロ（ＲＺ）信号である。検出器信号５０４は光パワー検出器の出力を示し、検出器信号５０８は波形検出器の出力を示す。本例によればバイアス点は、バイアス点５１２a, ５１２b, ５１２cである。バイアス点５１２a, ５１２b, ５１２cは波形検出器からの検出器信号５０８を用いて容易に識別される。
【００５６】
本発明のある実施例により、１つ以上の技術的利点がもたらされる。１つの実施例の技術的な利点は、変調された信号の波形を検出することで、光変調器のバイアス点が監視されるということである。この実施例によれば、変調される信号の波形におけるある変化がバイアス点における変動を示す。
【００５７】
本開示はある実施例および一般的に関連付けられた方法に関して説明されたが、実施例および方法に対する変更および置換については当業者にとって明らかである。したがって、実施例についての上の説明は本開示に制限を加えるものではない。以下の実施例で規定されるとおり、本開示の考え方や適用範囲から逸脱することなく、他の変更、置き換え、改造も可能である。
【００５８】
上述した実施形態は、以下の発明を開示する。以下の発明は、必要に応じて適宜組み合わせることができる。
【００５９】
（付記１）
光変調器のバイアス点を監視するよう作動可能なバイアス点モニタであって、これが：
入力ファイバであって、これが：
複数の光子を含む光信号を受信し、この光信号が光変調器で変調されるよう作動可能な入力ファイバと；
光子反応性物質であって、これが：
所定数の光子の到達に応じて反応を生じ；
光信号の複数光子を受信し；
複数の光子の到達に応じて複数の反応を生じ；
複数の反応に応じてフィードバックを行い、このフィードバックが光信号の波形を反映し、このフィードバックが光変調器の１つ以上のバイアス点を示すよう作動可能な光子反応性物質と
を備えるバイアス点モニタ。
【００６０】
（付記２）
請求項１のバイアス点モニタであって、２つの光子が実質的に同一時間に、物質の実質的に同一場所に到達すると、電子を放出するよう作動可能な物質を光子反応性物質が含むことを特徴とするバイアス点モニタ。
【００６１】
（付記３）
請求項１のバイアス点モニタであって、フィードバックが、反応数のピークを反映することを特徴とするバイアス点モニタ。
【００６２】
（付記４）
請求項１のバイアス点モニタであって、これがさらにバイアス制御装置を備え、これが：
フィードバックを反映する検出器信号を受信し；
フィードバックに応じて光変調器を調節するよう作動可能なバイアス点モニタ。
【００６３】
（付記５）
請求項１のバイアス点モニタであって、これがさらに光パワー検出器を備え、これが：
光信号の光パワーを監視するよう作動可能なバイアス点モニタ。
【００６４】
（付記６）
光変調器のバイアス点を監視するための方法であって、これが：
複数の光子を含む光信号を受信し、この光信号が光変調器で変調されるステップと；
光子反応性物質で光信号の複数光子を受信し、この光子反応性物質が、所定数の光子の到達に応じて反応を生じるよう作動可能であるステップと；
複数の光子の到達に応じて複数の反応を生じるステップと；
複数の反応に応じてフィードバックを行い、このフィードバックが光信号の波形を反映し、このフィードバックが光変調器の１つ以上のバイアス点を示すステップと
を含む方法。
【００６５】
（付記７）
請求項６の方法であって、２つの光子が実質的に同一時間に、物質の実質的に同一場所に到達すると、電子を放出するよう作動可能な物質を光子反応性物質が含むことを特徴とする方法。
【００６６】
（付記８）
請求項６の方法であって、フィードバックが、反応数のピークを反映することを特徴とする方法。
【００６７】
（付記９）
請求項６の方法であって、さらにこれが：
バイアス制御装置でのフィードバックを反映する検出器信号を受信するステップと；
フィードバックに応じて光変調器を調節するステップと
を含む方法。
【００６８】
（付記１０）
請求項６の方法であって、さらにこれが：
光信号の光パワーを監視するステップを含む方法。
【００６９】
（付記１１）
光変調器のバイアス点を監視するためのシステムであって、これが：
複数の光子を含む光信号を受信するための手段であって、この光信号が光変調器で変調される手段と；
光子反応性物質で光信号の複数光子を受信するための手段であって、この光子反応性物質が、所定数の光子の到達に応じて反応を生じるよう作動可能である手段と；
複数の光子の到達に応じて複数の反応を生じるための手段と；
複数の反応に応じてフィードバックを行うための手段であって、このフィードバックが光信号の波形を反映し、このフィードバックが光変調器の１つ以上のバイアス点を示す手段と
を備えるシステム。
【００７０】
（付記１２）
光変調器のバイアス点を監視するよう作動可能なバイアス点モニタであって、これが：
入力ファイバであって：
複数の光子を含む光信号を受信し、この光信号が光変調器で変調されるよう作動可能な入力ファイバと；
２つの光子が実質的に同一時間に、物質の実質的に同一場所に到達すると、電子を放出するよう作動可能な物質を含む光子反応性物質であって、この光反応性物質が：
所定数の光子の到達に応じて反応を生じ；
光信号の複数光子を受信し；
複数の光子の到達に応じて複数の反応を生じ；
複数の反応に応じてフィードバックを行い、このフィードバックが光信号の波形を反映し、このフィードバックが反応数のピークを反映し、このフィードバックが光変調器の１つ以上のバイアス点を示すよう作動可能な光子反応性物質と；
光パワー検出器であって、これが：
光信号の光パワーを監視するよう作動可能な光パワー検出器と；
バイアス制御装置であって、これが：
フィードバックを反映する検出器信号を受信し；
フィードバックに応じて光変調器を調節するよう作動可能なバイアス制御装置と
を備えるバイアス点モニタ。
【００７１】
（付記１３）
光変調器で変調される光信号を監視するよう作動可能なモニタであって、これが：
入力ファイバであって、これが：
複数の光子を含む光信号を受信し、この光信号が１つ以上の光変調器で変調されるよう作動可能な入力ファイバと；
光子反応性物質であって、これが：
所定数の光子の到達に応じて反応を生じ；
光信号の複数光子を受信し；
複数の光子の到達に応じて複数の反応を生じ；
複数の反応に応じてフィードバックを行い、このフィードバックが光信号の波形を反映し、このフィードバックが１つ以上の光変調器と通信するよう作動可能であるよう作動可能な光子反応性物質と
を備えるモニタ。
【００７２】
（付記１４）
請求項１のモニタであって、２つの光子が実質的に同一時間に、物質の実質的に同一場所に到達すると、電子を放出するよう作動可能な物質を光子反応性物質が含むことを特徴とするモニタ。
【００７３】
（付記１５）
請求項１のモニタであって、光反応性物質が、複数の反応に応じてフィードバックを行うようさらに作動可能であり、この反応が：
１つ以上の光変調器のバイアス点を示すフィードバックを生じることによるものであるモニタ。
【００７４】
（付記１６）
請求項１のモニタであって、光反応性物質が、複数の反応に応じてフィードバックを行うようさらに作動可能であり、この反応が：
１つ以上の光変調器の変調アラインメント変動を示すフィードバックを生じることによるものであるモニタ。
【００７５】
（付記１７）
光変調器で変調される光信号を監視するための方法であって、これが：
複数の光子を含む光信号を受信し、この光信号が１つ以上の光変調器で変調されるステップと；
光子反応性物質で光信号の複数光子を受信し、この光子反応性物質が、所定数の光子の到達に応じて反応を生じるよう作動可能であるステップと；
複数の光子の到達に応じて複数の反応を生じるステップと；
複数の反応に応じてフィードバックを行い、このフィードバックが光信号の波形を反映し、このフィードバックが１つ以上の光変調器と通信するステップと
を含む方法。
【００７６】
（付記１８）
請求項１７の方法であって、２つの光子が実質的に同一時間に、物質の実質的に同一場所に到達すると、電子を放出するよう作動可能な物質を光子反応性物質が含むことを特徴とする方法。
【００７７】
（付記１９）
請求項１７の方法であって、さらにこれが、複数の反応に応じてフィードバックを行い、この反応が：
１つ以上の光変調器のバイアス点を示すフィードバックを生じることによるものである方法。
【００７８】
（付記２０）
請求項１７の方法であって、さらにこれが、複数の反応に応じてフィードバックを行い、この反応が：
１つ以上の光変調器の変調アラインメント変動を示すフィードバックを生じることによるものである方法。
【００７９】
（付記２１）
光変調器で変調される光信号を監視するためのシステムであって、これが：
複数の光子を含む光信号を受信するための手段であって、この光信号が１つ以上の光変調器で変調される手段と；
光子反応性物質で光信号の複数光子を受信するための手段であって、この光子反応性物質が、所定数の光子の到達に応じて反応を生じるよう作動可能である手段と；
複数の光子の到達に応じて複数の反応を生じるための手段と；
複数の反応に応じてフィードバックを行うための手段であって、このフィードバックが光信号の波形を反映し、このフィードバックが１つ以上の光変調器と通信する手段と
を備えるシステム。
【００８０】
（付記２２）
光変調器で変調される光信号を監視するよう作動可能なモニタであって、これが：
入力ファイバであって、これが：
複数の光子を含む光信号を受信し、この光信号が１つ以上の光変調器で変調されるよう作動可能な入力ファイバと；
２つの光子が実質的に同一時間に、物質の実質的に同一場所に到達すると、電子を放出するよう作動可能な物質を含む光子反応性物質であって、この光反応性物質が：
所定数の光子の到達に応じて反応を生じ；
光信号の複数の光子を受信し；
複数の光子の到達に応じて複数の反応を生じ；
複数の反応に応じてフィードバックを行い、このフィードバックが光信号の波形を反映し、このフィードバックが１つ以上の光変調器と通信するよう作動可能であり、複数の反応に応じてフィードバックを行うことが、さらに：
１つ以上の光変調器のバイアス点を示すフィードバックを生じるステップと；
１つ以上の光変調器の変調アラインメント変動を示すフィードバックを生じるステップとを含むよう作動可能な光反応性物質とを備えるモニタ。
【００８１】
（付記２３）
光変調器と該光変調器の変調バイアス電圧点を制御する制御部からなる光変調システムにおいて、
該制御部には、該光変調器の出力の複数の光子の到達に応じて反応する光子反応性物質で構成された波形検出器と、該波形検出器の反応に対するフィードバックを該光変調器に行う変調器ドライバとを備えたことを特徴とする光変調システム。
【００８２】
（付記２４）
該波形検出器の該反応は二光子吸収により発生し、変調波形の変動に対応していることを特徴とする付記１記載の光変調システム。
【００８３】
（付記２５）
該制御部は該波形検出器の出力のピークに一致するようにバイアス点を制御することを特徴とする付記１記載の光変調システム。
【００８４】
（付記２６）
該制御部は該光変調器の出力パワーを検出する光パワー検出器をさらに設け、該変調ドライバを制御することを特徴とする付記１記載の光変調システム。
【００８５】
（付記２７）
該制御部は該波形検出器の出力と光パワー検出器の検出した値が一致するようにバイアス点を制御することを特徴とする付記３記載の光変調システム。
【図面の簡単な説明】
【００８６】
【図１】変調された光信号の波形を検出するため、光子吸収法を用いるノードを含むネットワークの１つの実施例を示すブロック図
【図２】変調アラインメント変動を監視するよう作動可能なアラインメントモニタを含む送信機の１つ実施例のブロック図
【図３】図３Ａおよび３Ｂは、検出器信号の例を示す図
【図４】アラインメントモニタの他の実施例を含む送信機のブロック図
【図５】アラインメントモニタの他の実施例を含む送信機のブロック図
【図６】光変調器、バイアス点モニタおよびバイアス制御装置の１つの実施例のブロック図
【図７】波形検出器および光パワー検出器からの検出器信号の例を示す図
【図８】波形検出器および光パワー検出器からの検出器信号の例を示す図
【符号の説明】
【００８７】
６０  光源
５０  送信器
５４  アラインメントモニタ
６４ａ、６４ｂ  光変調器
６８  光カプラ
７０、７２  ファイバ
７４  波形検出器
７６  光子反応性物質
１５４  アラインメントモニタ
１８２ａ、１８２ｂ  信号経路
１８６  変調器出力部
２５０  送信器
２５４  アラインメントモニタ
２６４ａ、２６４ｂ  光変調器
２８２ａ、２８２ｂ  信号経路
２８４  破壊的干渉出力部
２８６  変調器出力部
３００  光変調器
３１０  入力部
３１４ａ、３１４ｂ  信号経路
３１６  バイアス制御装置
３１８ａ、３１８ｂ  破壊的干渉出力部
３２０  光変調器出力
３２４ａ、３２４ｂ  バイアス点検出器
【図１】
2007086790.tif 000003
【図２】
2007086790.tif 000004
【図３】
2007086790.tif 000005
【図４】
2007086790.tif 000006
【図５】
2007086790.tif 000007
【図６】
2007086790.tif 000008
【図７】
2007086790.tif 000009
【図８】
2007086790.tif 000010